(57)【要約】  【課題】施工が容易な生物着生型パネル材及び構造物表面の生物着生方法を提供する。  【解決手段】生物着生型パネル材１は、構造物２の表面を形成するパネル板５と、パネル板５の裏面７に所要太さで押し出される短繊維混練モルタル又はコンクリート11の紐状体12を有間隙層に成形して硬化させた間隙付き生物着生ブロック10と、パネル板５の表面６から裏面７まで貫通しブロック10の間隙に連通する複数の生物出入孔９を有する。好ましくは、パネル板５の裏面７に、紐状体12の太さが異なる複数の前記ブロック10、間隙の割合が異なる複数のブロック10、及び／又は間隙の形状が異なる複数のブロック10を固定する。【選択図】        図１
2009215847.tif 000002
【特許請求の範囲】
【請求項１】
構造物表面を形成するパネル板、当該パネル板の裏面に所要太さで押し出される短繊維混練モルタル又はコンクリートの紐状体を有間隙層に成形して硬化させた間隙付き生物着生ブロック、及び前記パネル板の表面から裏面まで貫通し前記ブロックの間隙に連通する複数の生物出入孔を備えてなる生物着生型パネル材。
【請求項２】
請求項１のパネル材において、前記紐状体の太さが異なる複数の前記ブロックを前記裏面に固定してなる生物着生型パネル材。
【請求項３】
請求項１又は２のパネル材において、前記間隙の割合が異なる複数の前記ブロックを前記裏面に固定してなる生物着生型パネル材。
【請求項４】
請求項１から３の何れかのパネル材において、前記間隙の形状が異なる複数の前記ブロックを前記裏面に固定してなる生物着生型パネル材。
【請求項５】
請求項１から４の何れかのパネル材において、前記裏面に固定した複数の前記ブロックの一部と他の前記ブロックとの間に前記短繊維混練モルタル又はコンクリート製の仕切板を設けてなる生物着生型パネル材。
【請求項６】
請求項５のパネル材において、前記仕切板で仕切られた前記ブロックの間隙に養生材を充填してなる生物着生型パネル材。
【請求項７】
請求項１から６の何れかのパネル材において、前記パネル板をコンクリート製としてなる生物着生型パネル材。
【請求項８】
請求項１から７の何れかのパネル材において、前記ブロックを前記裏面に固定する固定部材を設けてなる生物着生型パネル材。
【請求項９】
表面から裏面まで貫通する複数の生物出入孔が穿たれたパネル板を構造物表面に当該裏面を対向させて設置し、構造物とパネル板との間に所要太さで押し出される短繊維混練モルタル又はコンクリートの紐状体を有間隙層に成形して硬化させた間隙付き生物着生ブロックを裏込めし、前記パネル板の生物出入孔を前記ブロックの間隙に連通させてなる構造物表面の生物着生方法。
【請求項１０】
請求項９の生物着生方法において、構造物とパネル板との間に前記成形紐状体の太さが異なる複数の前記ブロックを裏込めしてなる構造物表面の生物着生方法。
【請求項１１】
請求項９又は１０の生物着生方法において、構造物とパネル板との間に前記間隙の割合が異なる複数の前記ブロックを裏込めしてなる構造物表面の生物着生方法。
【請求項１２】
請求項９から１１の何れかの生物着生方法において、構造物とパネル板との間に前記間隙の形状が異なる複数の前記ブロックを裏込めしてなる構造物表面の生物着生方法。
【請求項１３】
請求項９から１２の何れかの生物着生方法において、構造物とパネル板との間に裏込めした複数の前記ブロックの一部と他の前記ブロックとの間に前記短繊維混練モルタル又はコンクリート製の仕切板を設けてなる構造物表面の生物着生方法。
【請求項１４】
請求項１３の生物着生方法において、前記仕切板で仕切られた前記ブロックの間隙に養生材を充填してなる構造物表面の生物着生方法。
【請求項１５】
請求項９から１４の何れかの生物着生方法において、前記パネル板をコンクリート製としてなる構造物表面の生物着生方法。
【請求項１６】
請求項９から１５の何れかの生物着生方法において、前記パネル板と構造物とに両端が支持された固定部材により前記パネル板及びブロックを構造物に固定してなる構造物表面の生物着生方法。
【発明の詳細な説明】
【技術分野】
【０００１】
本発明は生物着生型パネル材及び構造物表面の生物着生方法に関し、とくに護岸、橋台、橋脚、擁壁、山留め壁等の構造物表面に近隣で生活する動物及び植物の生息場所を確保してその着生を図る生物着生型パネル材及び構造物表面の生物着生方法に関する。
【背景技術】
【０００２】
従来、護岸や橋台、擁壁、山留め壁等の構造物は、例えばコンクリートパネルやブロックの敷設又はコンクリートの現場打ちにより構築されている。しかし最近では、それらの構造物により近隣の生物の生息場所が失われ生態系が大きな影響を受ける問題が指摘され、近隣の環境や生態系に与える影響が小さい構造物の構築が求められている。
【０００３】
生態系に与える影響が小さい構造物の一例として、特許文献１及び２は、水陸境界域の生態系の食物連鎖における重要な生物、例えば魚類や鳥類の餌となるカニ類やゴカイ等との共生を図る生物共生式護岸を開示する。図９に示す生物共生式護岸３７の一例は、流水の浸食を防ぐ矢板等の護岸構造物２ａに沿って生物出入孔９付き生物共生式パネル板５をその表面６が流水と接するように設け、パネル板５と構造物２ａとの間に生物のすみかとなる栗石、砂、土砂、シルト、良質土、貝殻、コンクリート廃材等の裏込め材３５を詰め込み、浸食防止と生物共生とを同時に達成する。
【０００４】
図１０は生物共生式パネル板５の垂直断面図及び正面図を示し、その楕円部分ＸＩの拡大図を図１１に示す。図示例のパネル板５は、多数の細かい窪み８がある凹凸石積模様が形成され且つ石積模様の凹部２５の頂壁２６ａがその凹部２５の底壁２６ｂより遠くまでひさし状に突出する表面６を有し、石積模様の凹部２５に表面６から裏面７まで貫通する生物出入孔９が穿たれている。生物出入孔９からの流水の適度な出入により裏込め材３５は湿潤し且つ保温された状態となる。またパネル板５の表面６から突出するひさし状凸部２６ａが生物出入孔９の入口に比較的広い日陰部分を作るので、生物出入孔９の乾燥を避け、生物出入孔９を生物の生息に適した湿潤環境に維持できる。このような生物出入孔９を介してカニ類等の生物が流水側から裏込め材３５へ入り込み、裏込め材３５の石の隙間や土砂に掘った穴を生息場所として定着する。カニ類等の生物の定着場所が確保され、これらの生物が増殖すれば、これらを餌とする生物の生息環境をも作り出すことができ、多様性に富んだ水陸境界域の創造・回復が期待できる。
【０００５】
図１２は上述した生物共生式護岸３７の施工方法の一例を示す。基盤となる護岸構造物２ａの水域側地盤３４（図９参照）にＨ鋼等の親杭３１を垂直に打ち込み、護岸構造物２ａに支持した腹起こし材３２を親杭３１に架け渡し、腹起こし材３２で支えた親杭３１の上方端にパネル板５の幅方向両端に設けた溝の下方端を嵌合させ、パネル板５を一対の親杭３１に沿って落とし込むことにより親杭３１に取り付ける。パネル板５を落とし込み方式で取り付けることにより、海水等で腐食しやすい金属製ボルトやナット等の使用が避けられる。パネル板５を親杭３１に取り付けた後、パネル板５と構造物２ａとの間に裏込め材３５を投入する。裏込め材３５は例えば岩、砕石、砂、土、泥ずり等であり、定着を図る生物の特性に応じて適宜選択できる。また裏込め材３５を、例えば図９に示すように小石・砂利・砕石・砂・砂岩ずり・貝殻・コンクリート廃材等の底部裏込め材３５ｃ、中間部のシルト３５ｂ、及び上部の良質土３５ａ等からなる多層構造とすることができる。多層構造の裏込め材３５は生物のすみか選択の幅を増し、多様な生物 の生息場所となり得る。例えば、底部埋め込み材３５ｃはずりとずりとの間隔に入り込む水生動物のすみかとなり、中間部シルト３５ｂは巣穴を作るカニ類等のすみかとなり、上部の良質土３５ａにより植物の根付きの向上を図る。
【０００６】
【特許文献１】特許第２９２２１９３号公報
【特許文献２】特開２０００−３３６６２５号公報
【特許文献３】特開２０００−３５５９２１号公報
【特許文献４】特開平７−０６２６２８号公報
【特許文献５】特開２００３−２６５０３９号公報
【発明の開示】
【発明が解決しようとする課題】
【０００７】
しかし従来の生物共生式護岸３７は、とくに裏込め材３５の施工に手間がかかる問題点がある。裏込め材５は適当な砕石や砂利等を確保してパネル板５と構造物２ａとの間に投入することにより施工するが、施工に際し作業員がパネル板５と構造物２ａとの間に入って砕石等を生物の特性に応じて積み上げる必要がある。また、裏込め材３５の荷重に対する耐久性をパネル板５に保持させるため、親杭３１やそれを支える腹起こし材３２、支持材３６等を設ける必要がある。このため、全体の工程が親杭３１等の設置とパネル板５の差し込みと裏込め材３５の投入との引き合いになっており、施工期間の短縮が難しくなっている。
【０００８】
また従来の生物共生式護岸３７は、裏込め材３５の投入のためパネル板５と護岸構造物２ａとの間に作業員が入り込める５０〜１００ｃｍ程度のスペースを確保する必要があるため、構造物２ａからのパネル板５の突き出し（迫り出し）幅を小さくすることが難しい問題点もある。構造物２ａによってはパネル５の突き出し幅が制限される場合があり、生物との共生を図りつつパネル板５及び裏込め材３５の幅（構造物とパネル板５との間隔）を小さくできる技術の開発が求められている。
【０００９】
そこで本発明の目的は、施工が容易な生物着生型パネル材及び構造物表面の生物着生方法を提供することにある。
【課題を解決するための手段】
【００１０】
本発明者等は、従来の砕石等に代わる裏込め材３５として、短繊維混練モルタル又はコンクリートに注目した。従来のセメント系モルタル又はコンクリートは十分な構造的・力学的特性を有し施工性、安全性、経済性にも優れているが、植物の着生や小動物の生息に必要な保湿性に欠けている。本発明者は、セメント系モルタル又はコンクリートに例えば植物性の短繊維を配合することにより従来の力学的特性を保ちつつ一定程度の保湿性を付与できることを見出し、短繊維混練モルタル又はコンクリート利用の動植物着生用ブロック基材を開発した（特許文献５参照）。裏込め材３５には生物のすみかとなる空隙が必要であるが、短繊維混練モルタル又はコンクリートはフレッシュ時に紐状体に押し出し成形できる粘性を有しており、その紐状体を所要間隙で層状に集合させて硬化させれば所要の空隙と保湿性を備えたブロックが形成できる。本発明は、従来の裏込め材に代えてこのブロックが使用できるとの知見に基づき完成に至ったものである。
【００１１】
図１から図３の実施例を参照するに、本発明の生物着生型パネル材１は、構造物２の表面を形成するパネル板５、パネル板５の裏面７に所要太さで押し出される短繊維混練モルタル又はコンクリート１１の紐状体１２を有間隙層に成形して硬化させた間隙付き生物着生ブロック１０、及びパネル板５の表面６から裏面７まで貫通しブロック１０の間隙に連通する複数の生物出入孔９を備えてなるものである。
【００１２】
好ましくは、パネル板５の裏面７に、前記紐状体１２の太さが異なる複数の前記ブロック１０、間隙の割合が異なる複数の前記ブロック１０、及び／又は間隙の形状が異なる複数の前記ブロック１０を固定する。
【００１３】
また図１から図３の実施例を参照するに、本発明による構造物表面の生物着生方法は、表面６から裏面７まで貫通する複数の生物出入孔９が穿たれたパネル板５を構造物２の表面３に当該裏面７を対向させて設置し、構造物２とパネル板５との間に所要太さで押し出される短繊維混練モルタル又はコンクリート１１の紐状体１２を有間隙層に成形して硬化させた間隙付き生物着生ブロック１０を裏込めし、パネル板５の生物出入孔９をブロック１０の間隙に連通させてなるものである。
【００１４】
本発明は、護岸や橋台等の水陸境界域の構造物表面に水域又はその近隣の陸域で生活するカニ類やゴカイ等の小動物、魚類、昆虫やヘビ、ネズミ等の陸上動物、及び水生植物、塩生植物、藻類その他の植物等の着生を図る場合に適用できる。また、水陸境界域に限らず、陸上の擁壁や山留め壁、法面保護壁等の構造物表面にその近隣で生活する動物や植物の着生を図る場合にも広く適用可能である。本発明は、とくに穴や穴の奥を利用して生息する動物の着生に適する。
【発明の効果】
【００１５】
本発明による生物着生型パネル材及び構造物表面の生物着生方法は、構造物表面を形成するパネル板の裏面に間隙付き生物着生ブロックを設け、パネル板の表面から裏面まで貫通する複数の生物出入孔を前記ブロックの間隙に連通させるので、次の有利な効果を奏する。
【００１６】
（イ）生物着生ブロックを裏込め材として使用するので、パネル板とブロックとを一体的施工が可能であり、生物着生型パネル材の施工期間の短縮が図れる。
（ロ）生物着生ブロックは比較的間隙が多く軽量であり、運搬及び取り扱いが容易であるため、生物着生型パネル材の施工の簡単化が図れる。
（ハ）生物着生ブロックは従来の裏込め材に比し安価に製造できるので、生物着生型パネル材の施工コストを低く抑えることができる。
（ニ）パネル板と構造物との間に裏込め材設置用の作業スペースを確保する必要がないので、構造物からの突き出し幅が小さい構造とすることができる。
（ホ）パネル板及び生物着生ブロックの厚さの調節により、生物着生型パネル材を更に薄くすることも可能である。
（ヘ）生物着生ブロックの間に短繊維混練モルタル又はコンクリート製の仕切板を設けることにより、ブロックに土を充填することが可能である。
（ト）護岸や橋台等の水陸境界域の構造物表面だけでなく、陸上の擁壁や山留め壁、法面保護壁等の構造物表面への生物着生への適用も期待できる。
【発明を実施するための最良の形態】
【００１７】
図１は本発明の生物着生型パネル材１を護岸構造物２に適用した実施例を示し、図２はパネル材１の断面図及び正面図、図３は背面側から見たパネル材１の斜視図をそれぞれ示す。図示例の生物定着型パネル材１は、構造物２の表面を形成するパネル板５と、パネル板５の裏面７に固定した間隙付き生物着生ブロック１０とを有する。パネル板５には、図２に示すように、表面６から裏面７まで貫通しブロック１０の間隙に連通する複数の生物出入孔９を設ける。図示例のパネル板５は厚さ１００〜２００ｍｍ程度のコンクリート製であるが、本発明で用いるパネル板５の材質、形状及び大きさはこの例に限定されない。またパネル板５は、工場等で生産されたパネル材のみならず、現場で構築されるものも含むものとする。
【００１８】
生物着生ブロック１０は、短繊維混練モルタル又はコンクリート１１を未硬化時に所要太さの紐状体１２に押し出し成形し、その紐状体１２を撓め又は折り重ねて例えば３００ｍｍ程度の有間隙層に成形して硬化させたものである。生物着生ブロック１０の一例を図６に示し、その製造方法の一例を図７に示す。図示例のブロック１０は、麻、綿、籾、藁等の植物性短繊維を表１の配合で混練した短繊維混練モルタル又はコンクリート１１を押し出し成形器１３のホッパー部１４に装填し、成形器１３の押し出し部１５からの押圧によりホッパー部１４の先端のノズル１６から押し出し成形された所要太さの紐状体１２を型枠１８内に所要間隙で層状に折り重ねて装填し硬化させたものである。人力による押し出しに代えて、図８に示すように短繊維混練モルタル又はコンクリート１１をグラウトポンプ１７により押し出し成形して紐状体１２としてもよい。紐状体１２及びブロック１０の形状は図示例に限定されず、型枠１８の選択により適宜形状とすることができる。例えば、断面円形の紐状体１２に代えて、複数の溝を有する断面星形又は多角形の紐状体１２とすることができる。またブロック１０は、紐状体１２を所要間隙で折り重ねた多層構造又は所要間隙で並べた単層構造としてもよい。
【００１９】
【表１】
2009215847.tif 000003
【００２０】
生物着生ブロック１０の材料として通常の普通セメントが使用可能であるが、生物に対するｐＨの影響を避けるため、ＭｇＯ及びＰ２Ｏ５を主成分とする低ｐＨセメントを使用することができる。必要に応じて、セメントの一部を高炉スラグ微粉末、フライアッシュ、シリカヒューム等で置換してもよい。また、生物着生ブロック１０をコンクリート製とする場合は、紐状体１２に成形するノズル１６の口径より小さい粗骨材を使用する。好ましくは、骨材として最大寸法５ｍｍ以下の川砂、火山灰土、黒土、石灰石粉の微粉末等を使用する。軽量骨材を使用してもよい。
【００２１】
生物着生ブロック１０中の短繊維はモルタル又はコンクリート中に一様に分散できる形状とし、好ましくは長さ２〜１２ｍｍ、径０．１〜１．０ｍｍ程度とする。例えば長さ２〜１２ｍｍ、径０．２〜０．７ｍｍの麻製短繊維の乾燥体をよく解してセメント材料と６０秒以上空練りし、そののち水を添加しペースト状とし、更に骨材を混練して短繊維混練モルタル又はコンクリート１１とする。高性能減水剤、増粘剤等のコンクリート用分散剤を利用して短繊維の分散を促進してもよい。短繊維の配合量は多いほど紐状体１２の保水性能（湿潤性能）及び変形性能（粘性）が高まるが、余り多いと骨材表面が短繊維で覆われて接合強度が低下するので、好ましくは１０〜８０ｋｇ／ｍ３、更に好ましくは２０〜６０ｋｇ／ｍ３程度とする。
【００２２】
例えば短繊維を１５ｋｇ／ｍ３以上、好ましくは２０ｋｇ／ｍ３以上配合し、水セメント比を従来のポーラスコンクリートの場合と同程度又はそれ以上とした短繊維混練モルタル又はコンクリート１１は、硬化前のスランプ値が高くても１．０ｃｍであり、硬化後に透水係数１．０〜３．０ｍ／ｓｅｃ、単位吸水率１０〜４０％の硬化体となる。従って、このような短繊維混練モルタル又はコンクリート１１を未硬化時に所要太さの紐状体１２に押し出し成形して図６の如き間隙付きの層状体とすれば、硬化時に紐状体１２が部分的に結着して適当な空隙と単位吸水率１０〜４０％とを備えた保湿性の生物着生ブロック１０が形成できる。
【００２３】
生物着生ブロック１０の紐状体１２の太さや間隙の大きさ・形状は、着生を図る生物の特性に応じて選択できる。取り扱い上の便宜から、例えば紐状体１２の太さを５〜１００ｍｍ程度とし、ブロック１０の間隙率（間隙の割合）を２０〜８０％とすることができるが、例えば魚類等の比較的大型の水生動物の着生を図る場合は紐状体１２を比較的太くし且つ間隙の形状も魚類に適する比較的大きなものとする。また、巣穴を作るカニ類等の定着を図る場合は、中程度の太さの紐状体１２によりカニ類の巣穴に適する直径５〜６ｃｍ程度の間隙を形成する。植物を着生させる場合は、比較的細い紐状体１２により植物の根の成長に適する間隙を形成すればよい。このような生物の特性に応じた紐状体１２の太さや間隙の大きさ・形状は、従来の裏込め材３５の大きさや間隙率等の経験に基づき設計することができる。なお、短繊維混練モルタル又はコンクリート１１の紐状体１２は、硬化時に普通モルタル又はコンクリートと同程度の強度特性（例えば、圧縮強度２５０〜３３０ｋｇｆ／ｃｍ２、曲げ強度４０〜５０ｋｇｆ／ｃｍ２）を有するが比較的脆いため、必要に応じて硬化した紐状体１２の一部分をハンマー等で砕いて生物着生ブロック１０の間隙の割合や形状を調節することも可能である。
【００２４】
生物着生ブロック１０は、図３及び図４に示すようにパネル板５の裏面７に、その間隙とパネル板５の生物出入孔９とが連通するように固定部材２０によって固定する。但し、固定部材２０は必須のものではなく、例えばパネル板５をコンクリート製とする場合は、パネル板５の裏面７又は生物着生ブロック１０の何れかの未硬化時に両者を直接押圧して付着させることにより、固定部材２０等を用いずに生物着生ブロック１０とパネル板５と固着させることが可能である。生物着生ブロック１０とパネル板５とを固着させることにより、両者の一体的な施工が可能となる。
【００２５】
生物着生ブロック１０は、パネル板５と別途施工してもよい。すなわち、構造物２の表面３に対向させてパネル板５を設置したのち、構造物２とパネル板５との間に生物着生ブロック１０を裏込めし、パネル板５の生物出入孔９をブロック１０の間隙に連通させる。例えば、生物着生ブロック１０を所定厚さで製造し、パネル板５を構造物表面３から前記所定厚さと対応する空隙を介して対向させ、構造物表面３とパネル板５との間に前記ブロック１０を挿入することにより裏込めする。この場合、図１に示すように、パネル板５の表面と構造物２（表面３）とに両端が支持されたアンカーボルト等の固定部材２２によりパネル板５及びブロック１０を構造物２に固定してもよい。
【００２６】
生物着生型パネル材１に用いるパネル板５の一例は、例えば図１１のように表面６に多数の窪み８のある凹凸石積模様が形成され、石積模様の凹部２５に表面６から裏面７まで貫通する生物出入孔９が穿たれたものである。パネル板５の生物出入孔９と生物着生ブロック１０中の間隙とを連通させることにより、生物出入孔９からの水分の出入と短繊維混練モルタル又はコンクリート１１の保湿性とにより、ブロック１０中の間隙を従来の裏込め材９と同様に生物の生息に適する状態とすることができる。従って、ブロック１０の紐状体１２の太さや間隙の大きさ・形状を適当に選択すれば、生物出入孔９を介してパネル板５の表面６から小動物等の生物をブロック１０に入り込ませ、ブロック１０の間隙を生息場所としてその生物の定着を図ることができる。
【００２７】
本発明の生物着生型パネル材１は、パネル板５の裏面７に固定可能な生物着生ブロック１０を裏込め材として使用するので、パネル板５と裏込め材（ブロック１０）との一体的な施工が可能であり、従来の工法に比しパネル板５と別途に裏込め材を施工する手間を省略できる。また、生物着生ブロック１０は従来の裏込め材に比し安価に製造でき、しかも比較的間隙が多いので軽量であるため運搬及び取り扱いが容易であり、生物着生型パネル材１の施工コストの低減と施工の簡単化が図れる。更に、従来の生物共生型パネル板５は構造物２との間に裏込め作業スペースを確保する必要があるのに対し、本発明の生物着生型パネル材１はそのようなスペースを必要としないので、構造物２からのパネル材１の突き出し幅を小さくすることができる。例えばパネル板５を厚さ２０ｃｍ、ブロック１０を厚さ３０ｃｍ程度としてパネル材１全体の幅を５０ｃｍ程度とすることが可能であり、パネル板５及びブロック１０の厚さの調節によりパネル材１を更に薄くすることも可能である。
【００２８】
こうして本発明の目的である「施工が容易な生物着生型パネル材及び構造物表面の生物着生方法」の提供が達成できる。
【００２９】
好ましくは図示例のように、本発明の生物着生型パネル材１に紐状体１２の太さや形状、間隙の割合や形状が異なる複数の生物着生ブロック１０を含め、生物のすみか選択の幅を増やす。図３の実施例では、パネル板５の裏面７の縦方向に４つの異なる生物着生ブロック１０ａ〜１０ｄを固定している。例えば、この生物着生型パネル材１を護岸構造物２に適用する場合は、従来の多層構造の裏込め材３５（図９参照）と同様に、下部ブロック１０ｄの紐状体１２の太さ及び間隙の割合・形状を水生動物のすみかに適するものとし、中間部のブロック１０ｂ及び１０ｃの紐状体１２の太さ及び間隙の割合・形状をカニ類等の小動物のすみかに適するものとし、上部ブロック１０ａの紐状体１２の太さ及び間隙の割合・形状を植物の着生に適するものとすることができる。
【００３０】
また、パネル板５の生物出入孔９も定着させる生物に応じた形状とすることができる。例えば、最下層のブロック１０ｄに連通する生物出入孔９は水生動物が通過可能な形状・大きさとし、中間部のブロック１０ｂ及び１０ｃに連通する生物出入孔９はカニ類等の小動物が通過可能な形状・大きさとする。更に図１１に示すように、生物出入孔９の表面側端と裏面側端とを同程度の大きさとして所要深さ部位に狭窄部３９を設けることにより、パネル板５の表面６とブロック１０の間隙との間の流通を制限し、ブロック１０の間隙を外部の湿度・温度に左右され難い安定した湿度・温度に保ち、生物の冬眠や産卵等に適する生息場所とすることが期待できる。パネル板５の表面６及び生物出入孔９には、生物の足場形成及び／又は藻類等の植物の付着容易化を図るため例えば１．０〜５．０ｍｍ程度、好ましくは１．０〜２．０ｍｍ程度の深さの多数の細かい窪み８を形成することが望ましい。窪み８は表面６及び生物出入孔９への砂粒等の付着により形成することができる。
【実施例１】
【００３１】
図４（Ｂ）は、生物着生型パネル材１の複数の生物着生ブロック１０の一部（例えば１０ａ）と他のブロック１０（例えば１０ｂ〜１０ｄ）との間に短繊維混練モルタル又はコンクリート１１製の仕切板１９を設け、仕切板１９で仕切られたブロック１０（例えば１０ａ）の間隙に生物の養生や生活が可能な養生材２１を充填する本発明の他の実施例を示す。例えば、ブロック１０の上に適当な養生材２１として土壌、砂泥や人工培養土等を敷設して間隙に充填し、その養生材２１中に植物２４を播種して発芽させ又は苗植えすることによりブロック１０を植物２４の着生床とすることができる。ブロック１０の間に短繊維混練モルタル又はコンクリート１１製の保湿性の仕切板１９を設けることにより、仕切板１９を介して水分の出入を許容すると共に養生材２１の散逸を防止できる。また、植物だけでなく、養生材充填ブロック１０によりウナギ、ドジョウ、ヤゴ、カニ、ミミズ、タマムシ、その他の昆虫類等の生息も期待できる。
【００３２】
仕切板１９は、短繊維混練モルタル又はコンクリート１１を例えば板状に成形して硬化させることにより形成できる。また図４（Ｃ）に示すように、短繊維混練モルタル又はコンクリート１１製の型枠１８内に、短繊維混練モルタル又はコンクリート１１の所要太さの紐状体１２を有間隙層に成形して装填し硬化させることにより、仕切板１９付き生物着生ブロック１０を形成することができる。仕切板１９付きブロック１０は、図４（Ｂ）のように仕切板１９のない生物定着ブロック１０と同様にして、パネル板５の裏面７に固定部材２０によって固定することができる。
【００３３】
図５は、生物着生型パネル材１の複数枚を幅方向に連結して大きなパネル材１として使用する実施例を示す。例えば同図（Ａ）では、パネル材１Ａ、１Ｂ、１Ｃを幅方向に連結し、接合金具等の連結部材２９によりパネル材１Ａ、１Ｂ、１Ｃを相互に連結している。同図（Ｂ）及び（Ｃ）に示すように、パネル材１の両端に幅方向連結部２８を設けて連結させてもよい。また、各パネル材１の高さ方向両端に高さ方向連結部（図示せず）を設け、複数のパネル材１を高さ方向に連結して大きなパネル材１として使用することも可能である。
【図面の簡単な説明】
【００３４】
【図１】本発明の一実施例の説明図である。
【図２】生物着生型パネル材の断面図及び正面図である。
【図３】図２のパネル材の背面側から見た斜視図である。
【図４】パネル板と生物着生ブロックとの固定方法の説明図である。
【図５】複数の生物着生型パネル材の接合方法の説明図である。
【図６】本発明で用いる生物着生ブロックの一実施例である。
【図７】図６の生物着生ブロックの製造方法の一例の説明図である。
【図８】図６の生物着生ブロックの製造方法の他の例の説明図である。
【図９】従来の生物共生式護岸の説明図である。
【図１０】図９の護岸に用いる生物共生式パネルの垂直断面図及び正面図である。
【図１１】図１０の生物共生式パネルの楕円部分ＸＩの拡大図である。
【図１２】図９の生物共生式護岸の水平断面図である。
【符号の説明】
【００３５】
１…生物着生型パネル材
２…構造物                ２ａ…護岸構造物
３…構造物表面            ５…パネル板
６…表面                  ７…裏面
８…窪み                  ９…生物出入孔
１０…生物着生ブロック    １１…短繊維混練モルタル又はコンクリート
１２…紐状体              １３…押し出し成形器
１４…ホッパー部          １５…押し出し部
１６…ノズル              １７…グラウトポンプ
１８…型枠                １９…仕切板
２０…固定部材            ２１…養生材
２２…固定部材            ２３…アンカー取付部
２４…植物                ２５…石積模様の凸部
２６…石積模様の凹部      ２８…連結部
２９…連結部材（接合金具）
３１…親杭                ３２…腹起こし材
３３…基礎捨石            ３４…地盤
３５…裏込め材            ３５ａ…良質土
３５ｂ…砂質シルト        ３５ｃ…底部裏込め材
３６…支持材              ３７…生物共生式護岸
３８…流水表面            ３９…狭窄部
【図１】
2009215847.tif 000004
【図２】
2009215847.tif 000005
【図３】
2009215847.tif 000006
【図４】
2009215847.tif 000007
【図５】
2009215847.tif 000008
【図６】
2009215847.tif 000009
【図７】
2009215847.tif 000010
【図８】
2009215847.tif 000011
【図９】
2009215847.tif 000012
【図１０】
2009215847.tif 000013
【図１１】
2009215847.tif 000014
【図１２】
2009215847.tif 000015